(57)【要約】【課題】種類の異なる電子部品に対しても共通化して用いることができ、構造の複雑化を抑制でき、更に、電子部品の交換作業及びメンテナンス作業が容易なコネクタを提供する。【解決手段】第１ハウジング２１は、端子２６を保持するとともに、端子２６がケーブル１３における導体１３ｂに対して接続される。基板２５は、電子部品１５が実装されるとともに、第１ハウジング２１が取り付けられることで端子２６が電子部品１５に電気的に接続される。第２ハウジング２２は、基板２５に取り付けられる。第１ハウジング２１と基板２５と第２ハウジング２２とが固定される。【選択図】        図５
2012119217.tif 000002
【特許請求の範囲】
【請求項１】
電子部品とケーブルとを電気的に接続するためのコネクタであって、
少なくとも１つの端子を保持するとともに、前記端子が前記ケーブルにおける導体に対して電気的に接続される第１ハウジングと、
前記電子部品が実装されるとともに、前記第１ハウジングが取り付けられることで前記端子が前記電子部品に電気的に接続される基板と、
前記基板に取り付けられる第２ハウジングと、
を備え、
前記第１ハウジングと前記基板と前記第２ハウジングとが固定されることを特徴とする、コネクタ。
【請求項２】
請求項１に記載のコネクタであって、
前記導体と前記端子とが溶接されることで接続されることを特徴とする、コネクタ。
【請求項３】
請求項１又は請求項２に記載のコネクタであって、
前記第１ハウジングに対して係合して取り付けられるとともに、前記ケーブルの端部における前記導体と前記端子とが接続される部分を少なくとも覆うように前記第１ハウジングに対して取り付けられるリテーナを更に備えていることを特徴とする、コネクタ。
【請求項４】
請求項１乃至請求項３のいずれか１項に記載のコネクタであって、
前記第１ハウジングと前記第２ハウジングとが係合することで、互いに固定された前記第１ハウジング及び前記第２ハウジングの間で前記基板が前記第１ハウジング及び前記第２ハウジングに対して固定された状態で保持されることを特徴とする、コネクタ。
【請求項５】
請求項１乃至請求項４のいずれか１項に記載のコネクタであって、
前記電子部品は、その中央位置が前記基板の中央位置から偏って配置されるように、前記基板に対して実装され、
前記第１ハウジング及び前記第２ハウジングのそれぞれには、前記電子部品の位置に対応して偏った位置に設けられるとともに当該電子部品を受け入れるように開放形成された凹み部が設けられていることを特徴とする、コネクタ。
【請求項６】
請求項５に記載のコネクタであって、
前記第１ハウジング及び前記第２ハウジングは、前記凹み部が設けられる部分を除いて同一形状に形成されていることを特徴とする、コネクタ。
【請求項７】
請求項１乃至請求項６のいずれか１項に記載のコネクタであって、
前記第２ハウジングは、前記端子とは別の第２端子を少なくとも１つ保持するとともに、前記第２端子が前記ケーブルとは別の第２ケーブルにおける第２導体に対して電気的に接続され、
前記第２ハウジングが前記基板に取り付けられることで前記第２端子が前記電子部品に電気的に接続されることを特徴とする、コネクタ。
【請求項８】
請求項１乃至請求項５のいずれか１項に記載のコネクタであって、
前記第２ハウジングは、前記ケーブルと前記電子部品とが接続された状態における当該ケーブルの終端部分を構成することを特徴とする、コネクタ。
【請求項９】
請求項１乃至請求項８のいずれか１項に記載のコネクタと、
前記基板に実装された前記電子部品と、
前記第１ハウジングに保持された前記端子に対して前記導体が接続された前記ケーブルと、
を備えていることを特徴とする、ハーネス。
【請求項１０】
請求項９に記載のハーネスであって、
前記コネクタと前記電子部品と前記ケーブルとがそれぞれ複数備えられ、
前記コネクタと前記ケーブルとが順番に直列に接続されていることを特徴とする、ハーネス。
【発明の詳細な説明】
【技術分野】
【０００１】
本発明は、電子部品とケーブルとを電気的に接続するためのコネクタ、及びコネクタを備えるハーネス（ケーブルハーネス）に関する。
【背景技術】
【０００２】
従来より、電子部品とケーブルとを電気的に接続することが行われている。特許文献１においては、ＬＥＤなどの電子部品が設けられてフラットケーブルに対して取り付けられることで電子部品とフラットケーブルとが接続される電子部品付きハウジングが開示されている。この電子部品付きハウジングは、電子部品を備えるカートリッジと、カートリッジを支持するハウジングとを備えて構成されている。
【先行技術文献】
【特許文献】
【０００３】
【特許文献１】特開２００９−２７７５４８号公報
【発明の概要】
【発明が解決しようとする課題】
【０００４】
特許文献１に開示された電子部品付きハウジングにおいては、特定の種類の電子部品を備える特定のカートリッジに対応する特定の構造のハウジングが必要となる。このため、種類の異なる電子部品に対しては対応することができず、種類の異なる電子部品を備えるカートリッジに対して上記のハウジングを共通化して用いることができない。また、特定の種類の電子部品を備える特定のカートリッジが、そのカートリッジに対応する特定の構造のハウジングに対して組み込まれる構成のため、ハウジングの形状の複雑化を招きやすく、電子部品の交換及びメンテナンスが必要な場合に交換作業及びメンテナンス作業が困難になってしまうという問題がある。
【０００５】
本発明は、上記実情に鑑みることにより、種類の異なる電子部品に対しても共通化して用いることができ、構造の複雑化を抑制でき、更に、電子部品の交換作業及びメンテナンス作業が容易なコネクタを提供することを目的とする。また、そのコネクタを備えるハーネス（ケーブルハーネス）を提供することを目的とする。
【課題を解決するための手段】
【０００６】
上記目的を達成するための第１発明に係るコネクタは、電子部品とケーブルとを電気的に接続するためのコネクタであって、少なくとも１つの端子を保持するとともに、前記端子が前記ケーブルにおける導体に対して電気的に接続される第１ハウジングと、前記電子部品が実装されるとともに、前記第１ハウジングが取り付けられることで前記端子が前記電子部品に電気的に接続される基板と、前記基板に取り付けられる第２ハウジングと、を備え、前記第１ハウジングと前記基板と前記第２ハウジングとが固定されることを特徴とする。
【０００７】
この発明によると、第１ハウジングの端子に導体が接続されるようにケーブルが第１ハウジングに対して取り付けられる。そして、電子部品が基板に実装され、この基板に対して第１ハウジング及び第２ハウジングが取り付けられてこれらが固定されることにより、ケーブルの導体と電子部品とが第１ハウジングの端子を介して電気的に接続されることになる。このため、電子部品の種類が異なる場合であっても、電子部品を基板に実装し、基板に対して、ケーブルが取り付けられた第１ハウジングと、第２ハウジングとを取り付けることで、電子部品とケーブルとを接続することができる。即ち、種類の異なる電子部品に対してもこのコネクタを共通化して用いることができる。
【０００８】
更に、本発明のコネクタでは、電子部品が基板に実装されてこの基板に第１及び第２ハウジングが取り付けられることで、電子部品とケーブルとが接続される構成のため、第１及び第２ハウジングの構造について、特定の電子部品に対応させる必要がなく、コネクタの構造の複雑化が抑制されることになる。また、本発明のコネクタでは、特定の種類の電子部品に対応した特定の構造のハウジングに電子部品が組み込まれる構成ではなく、電子部品が基板に実装される構成のため、電子部品の交換及びメンテナンスが必要な場合に交換作業及びメンテナンス作業を容易に行うことができる。
【０００９】
従って、本発明によると、種類の異なる電子部品に対しても共通化して用いることができ、構造の複雑化を抑制でき、更に、電子部品の交換作業及びメンテナンス作業が容易なコネクタを提供することができる。
【００１０】
第２発明に係るコネクタは、第１発明のコネクタにおいて、前記導体と前記端子とが溶接されることで接続されることを特徴とする。
【００１１】
この発明によると、ケーブルの導体と第１ハウジングの端子とが溶接によって接続されるため、導体と端子との接続作業を容易且つ迅速に行うことができ、接続作業の効率化を図ることができる。
【００１２】
第３発明に係るコネクタは、第１発明又は第２発明のコネクタにおいて、前記第１ハウジングに対して係合して取り付けられるとともに、前記ケーブルの端部における前記導体と前記端子とが接続される部分を少なくとも覆うように前記第１ハウジングに対して取り付けられるリテーナを更に備えていることを特徴とする。
【００１３】
この発明によると、ケーブルの端部における導体と端子との接続部分を覆うように第１ハウジングに係合して取り付けられるリテーナが設けられるため、導体と端子との接続部分を外部に対して保護することができる。更に、リテーナが上記のように配置されるため、ケーブルに対して引き回されるような外力が作用した場合であっても、導体と端子との接続部分に作用する外力の影響を抑制することができる。よって、第１ハウジングからケーブルが脱落してしまうことを抑制することができる。
【００１４】
第４発明に係るコネクタは、第１発明乃至第３発明のいずれかのコネクタにおいて、前記第１ハウジングと前記第２ハウジングとが係合することで、互いに固定された前記第１ハウジング及び前記第２ハウジングの間で前記基板が前記第１ハウジング及び前記第２ハウジングに対して固定された状態で保持されることを特徴とする。
【００１５】
この発明によると、第１及び第２ハウジングが係合して互いに固定されることで、第１及び第２ハウジングの間で基板が保持されて固定される。このため、第１及び第２ハウジングを係合させるだけで、第１及び第２ハウジングと基板とを容易に固定することができる。
【００１６】
第５発明に係るコネクタは、第１発明乃至第４発明のいずれかのコネクタにおいて、前記電子部品は、その中央位置が前記基板の中央位置から偏って配置されるように、前記基板に対して実装され、前記第１ハウジング及び前記第２ハウジングのそれぞれには、前記電子部品の位置に対応して偏った位置に設けられるとともに当該電子部品を受け入れるように開放形成された凹み部が設けられていることを特徴とする。
【００１７】
この発明によると、電子部品が基板に対して中央から偏って配置され、その偏った電子部品の配置に対応するように、第１及び第２ハウジングのそれぞれに凹み部が開放形成されている。このため、作業者が、基板に対して第１及び第２ハウジングの配置を逆にした状態で第１及び第２ハウジングを基板に取り付けようとすると、第１及び第２ハウジングにおける各凹み部以外の部分が電子部品と当接して干渉してしまうことになる。これにより、この発明のコネクタでは、第１及び第２ハウジングの配置が逆の場合は、第１及び第２ハウジングを基板に対して装着することができないように構成されている。よって、このコネクタによると、作業者の誤操作によって第１及び第２ハウジングが基板及び電子部品に対して逆装着されてしまうことを防止することができる。
【００１８】
第６発明に係るコネクタは、第５発明のコネクタにおいて、前記第１ハウジング及び前記第２ハウジングは、前記凹み部が設けられる部分を除いて同一形状に形成されていることを特徴とする。
【００１９】
この発明によると、第１及び第２ハウジングが凹み部が設けられる部分を除いて同一形状に形成されるため、第１及び第２ハウジングの成型用の金型を構成する部品を大幅に共通化することができる。これにより、第１及び第２ハウジングの基板及び電子部品に対する逆装着を防止できるコネクタ構造を実現できるとともに、ハウジング成型用の金型の構成部品の削減を図ることができる。
【００２０】
第７発明に係るコネクタは、第１発明乃至第６発明のいずれかのコネクタにおいて、前記第２ハウジングは、前記端子とは別の第２端子を少なくとも１つ保持するとともに、前記第２端子が前記ケーブルとは別の第２ケーブルにおける第２導体に対して電気的に接続され、前記第２ハウジングが前記基板に取り付けられることで前記第２端子が前記電子部品に電気的に接続されることを特徴とする。
【００２１】
この発明によると、第１ハウジングに取り付けられた１つのケーブルと第２ハウジングに取り付けられた別の第２ケーブルとに対して電子部品を接続でき、電子部品を介して複数のケーブルを直列に接続することができる。よって、この発明のコネクタを複数用いることで、複数の電子部品と複数のケーブルとが順番に直列に接続されたハーネス構造を容易に構築することができる。
【００２２】
第８発明に係るコネクタは、第１発明乃至第５発明のいずれかのコネクタにおいて、前記第２ハウジングは、前記ケーブルと前記電子部品とが接続された状態における当該ケーブルの終端部分を構成することを特徴とする。
【００２３】
この発明によると、ケーブルと電子部品とが接続された状態におけるケーブルの終端部分を第２ハウジングを用いた簡素な構造で容易に構築することができる。
【００２４】
また、前述の目的を達成するための第９発明に係るハーネスは、第１発明乃至第８発明のいずれかのコネクタと、前記基板に実装された前記電子部品と、前記第１ハウジングに保持された前記端子に対して前記導体が接続された前記ケーブルと、を備えていることを特徴とする。
【００２５】
この発明によると、第１発明乃至第８発明のコネクタと同様の効果を奏するハーネスを実現することができる。従って、本発明によると、種類の異なる電子部品に対してもコネクタを共通化して用いることができ、構造の複雑化を抑制でき、更に、電子部品の交換作業及びメンテナンス作業が容易なハーネスを提供することができる。
【００２６】
第１０発明に係るハーネスは、第９発明のハーネスにおいて、前記コネクタと前記電子部品と前記ケーブルとがそれぞれ複数備えられ、前記コネクタと前記ケーブルとが順番に直列に接続されていることを特徴とする。
【００２７】
この発明によると、種類の異なる電子部品に対しても共通化して利用できるコネクタを複数用い、複数の電子部品と複数のケーブルとが順番に直列に接続されたハーネス構造を種々の組み合わせで容易に構築することができる。
【発明の効果】
【００２８】
本発明によると、種類の異なる電子部品に対してもコネクタを共通化して用いることができ、構造の複雑化を抑制でき、更に、電子部品の交換作業及びメンテナンス作業が容易なコネクタを提供することができる。また、そのコネクタを備えるハーネスを提供することができる。
【図面の簡単な説明】
【００２９】
【図１】本発明の第１実施形態に係るコネクタと、このコネクタを用いて構成された本発明の第１実施形態に係るハーネスとを示す斜視図である。
【図２】図１に示すコネクタ及びハーネスの平面図及び正面図である。
【図３】図１に示すハーネスが固定用パネルに対して取り付けられた状態を示す正面図及び底面図である。
【図４】図３に示すハーネスについて固定用パネルとともに示す斜視図である。
【図５】図１に示すコネクタ及びハーネスの分解斜視図である。
【図６】図５に示すコネクタ及びハーネスの平面図及び正面図である。
【図７】図３に示す固定用パネルについて底面側を上にした状態で示す斜視図である。
【図８】図７に示す固定用パネルの平面図、正面図、底面図、及び側面図である。
【図９】図１に示すハーネスにおけるケーブルを示す斜視図である。
【図１０】図９に示すケーブルの平面図、正面図、及び側面図である。
【図１１】図１に示すコネクタにおける第１ハウジングを示す斜視図であり、底面側を上にした状態で示す図である。
【図１２】図１に示すコネクタにおける第１ハウジングの平面図、正面図、及び底面図である。
【図１３】図１２に示す第１ハウジングの左側面図及び右側面図である。
【図１４】図１に示すコネクタにおける第１ハウジングに支持される端子を示す斜視図及び正面図である。
【図１５】図１に示すコネクタにおける第２ハウジングの背面図、平面図及び底面図である。
【図１６】図１５に示す第２ハウジングの左側面図及び右側面図である。
【図１７】図１に示すコネクタにおける第１リテーナの斜視図である。
【図１８】図１７に示す第１リテーナの平面図及び底面図である。
【図１９】図１に示すハーネスにおける第１ハウジングにケーブルが取り付けられた状態を示す斜視図である。
【図２０】図１９に示す第１ハウジング及びケーブルの平面図及び底面図である。
【図２１】図２のＡ−Ａ線矢視位置から見た断面図である。
【図２２】図２のＢ−Ｂ線矢視位置から見た断面図である。
【図２３】図２のＣ−Ｃ線矢視位置から見た断面図である。
【図２４】図１に示すコネクタにおいて、作業者の誤操作によって第２ハウジングが基板及びＬＥＤ部品に対して配置が逆の状態で装着された場合について説明するための斜視図及び平面図である。
【図２５】本発明の第２実施形態に係るコネクタと、このコネクタを用いて構成された本発明の第２実施形態に係るハーネスとを示す斜視図である。
【図２６】図２５に示すコネクタ及びハーネスの平面図及び正面図である。
【図２７】図１に示すコネクタ及びハーネスの分解斜視図である。
【図２８】変形例に係る第１ハウジング及びケーブルを示す斜視図である。
【図２９】図２８に示す第１ハウジング及びケーブルの分解斜視図である。
【図３０】変形例に係るハーネスを示す斜視図である。
【発明を実施するための形態】
【００３０】
以下、本発明を実施するための形態について図面を参照しつつ説明する。尚、本発明は、電子部品とケーブルとを電気的に接続するためのコネクタ、そのコネクタを備えるハーネスとして、種々の用途に広く適用することができるものである。
【００３１】
（第１実施形態）
図１は、本発明の第１実施形態に係るコネクタ１１と、このコネクタ１１を用いて構成された本発明の第１実施形態に係るハーネス１とを示す斜視図である。図２は、コネクタ１１及びハーネス１を示平面図（図２（ａ））及び正面図（図２（ｂ））である。
【００３２】
図１及び図２に示すコネクタ１１は、電子部品１５とケーブル１３とを接続し、更に、電子部品１５とケーブル１４とを接続するためのコネクタとして構成されている。また、ハーネス１は、コネクタ１１と、電子部品１５と、ケーブル１３と、ケーブル１４とを備えて構成されている。尚、図１及び図２では、ケーブル（１３、１４）については一部が図示されており、ケーブル（１３、１４）におけるコネクタ１１に接続される側と反対側についての図示が途中から省略されている。
【００３３】
ハーネス１における電子部品１５は、本実施形態では、ＬＥＤ（Light Emitting Diode）が設けられたＬＥＤ部品として構成されており、ＬＥＤとして構成された発光部１５ａと、この発光部１５ａを収納するケース部１５ｂと、を備えて構成されている。尚、以下の説明では、電子部品１５について、ＬＥＤ部品１５とも称する。
【００３４】
図３は、ハーネス１が固定用パネル１００に対して取り付けられた状態を示す正面図（図３（ａ））及び底面図（図３（ｂ））である。図４は、ハーネス１について固定用パネル１００とともに示す斜視図である。また、図５はコネクタ１１及びハーネス１の分解斜視図であり、図６は図５に示すコネクタ１１及びハーネス１の平面図（図６（ａ））及び正面図（図６（ｂ））である。
【００３５】
図１乃至図６に示すコネクタ１は、第１ハウジング２１、第２ハウジング２２、第１リテーナ２３、第２リテーナ２４、基板２５を備えて構成されている。このコネクタ１１においては、第１ハウジング２１にケーブル１３が取り付けられ、第２ハウジング２２にケーブル１４が取り付けられ、更に、基板２５にＬＥＤ部品１５が実装される。そして、この状態で、基板２５に第１ハウジング２１及び第２ハウジング２２が取り付けられ、第１ハウジング２１と第２ハウジング２２と基板２５とが固定されることで、ハーネス１が組み立てられることになる。
【００３６】
ＬＥＤ部品１５、ケーブル（１３、１４）、コネクタ１１が組み立てられて構成されたハーネス１については、例えば、図３及び図４に示すように、図示しない筐体の一部を構成する固定用パネル１００に対して固定される。図７は、固定用パネル１００について底面側を上にした状態で示す斜視図である。また、図８は、固定用パネル１００の平面図（図８（ａ））、正面図（図８（ｂ））、底面図（図８（ｃ））、及び側面図（図８（ｄ））である。
【００３７】
固定用パネル１００には、ＬＥＤ部品１５の発光部１５ａに対応する位置に貫通孔として開口形成されたＬＥＤ用開口１００ａが形成されるとともに、コネクタ１を保持するための複数のコネクタ固定フック１００ｂが設けられている。尚、コネクタ固定フック１００ｂは、本実施形態では４つ設けられている。そして、図３に示すように、これらのコネクタ固定フック１００ｂのうちの２つが、コネクタ１１の第１ハウジング２１に係合してこの第１ハウジング２１を挟んで保持するように構成されている。更に、コネクタ固定フック１００ｂのうちの残りの２つが、コネクタ１１の第２ハウジング２２に係合してこの第２ハウジング２２を挟んで保持するように構成されている。
【００３８】
ハーネス１が固定用パネル１００に取り付けられる際には、作業者によって、コネクタ１１が複数のコネクタ固定フック１００ｂ間に嵌め込まれる。これにより、コネクタ１１に複数のコネクタ固定フック１００ｂが係合し、コネクタ１１が固定用パネル１００に固定され、ハーネス１の固定用パネル１００への取り付けが完了することになる。そして、ハーネス１が固定用パネル１００に取り付けられた状態では、ＬＥＤ部品１５の発光部１５ａが固定用パネル１００のＬＥＤ用開口１００ａから外部に露出するように配置される。これにより、ケーブル（１３、１４）及びコネクタ１１を介してＬＥＤ部品１５に通電が行われると、発光部１５ａが発光し、ＬＥＤ用開口１００ａを介して固定用パネル１００の外部に光が照射されることになる。
【００３９】
図９は、図１に示すハーネス１におけるケーブル１３を示す斜視図である。また、図１０は、図９に示すケーブル１３の平面図（図１０（ａ））、正面図（図１０（ｂ））、及び側面図（図１０（ｃ））である。尚、図９及び図１０では、図１及び図２と同様に、ケーブル１３の一部が図示されており、ケーブル１３におけるコネクタ１１に接続される側と反対側についての図示が途中から省略されている。
【００４０】
図９及び図１０に示すように、ケーブル１３は、フレキシブルフラットケーブル（ＦＦＣ）として設けられている。そして、ケーブル１３は、絶縁性材料で構成された被覆部１３ａによって絶縁被覆されるとともに平行に配列された複数の導体１３ｂを備えて構成されている。各導体１３ｂは、例えば、１本の金属線材として、又は細かい金属線材が束ねられた集合体として構成されている。尚、図示を省略するが、被覆部１３ａの内部には、金属材料で箔状に形成され、電磁波ノイズ対策としてのシールド機能を発揮するシールド層が設けられている。
【００４１】
また、ケーブル１３の端部は、被覆部１３ａが部分的に除去されている。これにより、ケーブル１３の端部において、絶縁被覆としての被覆部１３ａが一部除去されて複数の導体１３ｂが露出した導体露出部分１３ｃが形成されている。この導体露出部分１３ｃは、例えば、ケーブル１３の端部において、被覆部１３ａがケーブル１３の長手方向（即ち、複数の導体１３ｂが平行に延びる伸長方向）に沿って引き抜かれるように剥がされることで形成されている。
【００４２】
尚、図９及び図１０では、ケーブル１３の構造が図示されているが、ケーブル１４についても、ケーブル１３と同様の構造として構成されている。そして、ケーブル１３は、コネクタ１１の第１ハウジング２１に対して取り付けられるケーブルを構成している。一方、ケーブル１４は、ケーブル１３とは別の本実施形態における第２ケーブルを構成しており、第２ハウジング２２に対して取り付けられる。
【００４３】
次に、コネクタ１１について更に詳しく説明する。前述のように、コネクタ１１は、第１ハウジング２１、第２ハウジング２２、第１リテーナ２３、第２リテーナ２４、基板２５、等を備えて構成されている。
【００４４】
図１１は、第１ハウジング２１を示す斜視図であり、底面側を上にした状態で示す図である。図１２は、第１ハウジング２１の平面図（図１２（ａ））、正面図（図１２（ｂ））、及び底面図（図１２（ｃ））である。図１３は、第１ハウジング２１の左側面図（図１３（ａ））及び右側面図（図１３（ｂ））である。また、図１４は、第１ハウジング２１に保持される端子２６を示す斜視図（図１４（ａ））及び正面図（図１４（ｂ））である。尚、図１４は、１つの端子２６のみを図示している。
【００４５】
図１乃至図３、図５、図６、図１１乃至図１３に示す第１ハウジング２１は、絶縁性材料である樹脂材料で形成され、薄型の略直方体状の部材として設けられている。この第１ハウジング２１を形成するための樹脂材料としては、例えば、ＰＡ（ポリアミド、polyamide）等の材料を用いることができる。そして、第１ハウジング２１は、基板２５の端部が挿入される挿入口２１ａが開口形成されており、更に、内側において、図１４に示す端子２６を複数保持するように、端子保持溝２１ｂが複数形成されている。
【００４６】
尚、複数の端子２６は、長手方向が平行に配置された状態であって、且つ、第１ハウジング２１における挿入口２１ａが延びる方向（即ち、第１ハウジング２１に対して基板２５の端部が挿抜される方向であって、図１２（ａ）にて両端矢印Ｄで示す方向）と垂直な方向である幅方向（図１２（ａ）にて両端矢印Ｅで示す方向）に沿って並んだ状態で、第１ハウジング２１の内部に保持される。また、各端子２６は、第１ハウジング２１の内側に形成された各端子保持溝２１ｂに対して嵌め込まれることで保持される。尚、本実施形態にて例示したコネクタ１１においては、第１ハウジング２１に端子保持溝２１ｂが４つ形成され、４つの端子２６が第１ハウジング２１に保持される。
【００４７】
ここで、図１４に示す端子２６について説明する。端子２６は、導電性の金属材料で形成されており、前述のように、第１ハウジング２１に対して複数保持される。この端子２６を形成するための金属材料としては、例えば、銅合金を用いることができる。また、端子２６の表面には、銅下地付きすずめっきなどのめっき処理が施されていてもよい。そして、端子２６がケーブル１３の導体露出部分１３ｃにおける導体１３ｂに対して電気的に接続されるように、ケーブル１３の端部が第１ハウジング２１における挿入口２１ａと反対側の端部に取り付けられる。
【００４８】
尚、本実施形態では、各導体１３ｂと各端子２６とは、溶接されることで接続される。導体１３ｂと端子２６とを溶接する溶接方法としては種々の方法を選択することができ、例えば、抵抗溶接、レーザ溶接、電子ビーム溶接、或いは、ろう付けによる溶接によって、導体１３ｂと端子２６とが溶接される。そして、端子２６には、一方の端部側において、導体１３ｂに対して溶接される部分として凸状に盛り上がるように形成された凸部２６ａが設けられている。
【００４９】
また、端子２６には、凸部２６ａが設けられる一方の端部側と反対側に向かって略平行に二股状に延びる一対の突起部（２６ｂ、２６ｂ）が設けられている。この一対の突起部（２６ｂ、２６ｂ）は、第１ハウジング２１の内部の端子保持溝２１ｂに対して嵌め込まれるように構成されている。そして、第１ハウジング２１に基板２５の端部が挿入された状態となるように、基板２５に対して第１ハウジング２１が取り付けられる際には、一対の突起部（２６ｂ、２６ｂ）の間に基板２５の端部が挿入されることになる。
【００５０】
また、一対の突起部（２６ｂ、２６ｂ）のそれぞれには、互いに対向するように相手側に向かって凸状に盛り上がって形成された接点部２６ｃが設けられている。端子２６は、この接点部２６ｃにおいて、基板２５にプリントされた個々の導電部である回路パターン２５ａ（図５及び図６を参照）に対して電気的に接続されることになる。尚、端子２６が接点部２６ｃにて回路パターン２５ａに対して接触する際には、突起部２６ｂのバネ力によって接点部２６ｃが回路パターン２５ａに向かって付勢されるように、一対の突起部（２６ｂ、２６ｂ）の位置関係が設定されている。これにより、端子２６と基板２５の回路パターン２５ａとの電気的接続が確保されるように構成されている。
【００５１】
また、複数の端子２６を保持する第１ハウジング２１には、幅方向（図１２（ａ）にて両端矢印Ｅで示す方向）の両側の端部における一方に第１係合部２１ｃが設けられ、他方に第２係合部２１ｄが設けられている。第１係合部２１ｃは、第１ハウジング２１の本体部分から基板２５の挿抜方向（図１２（ａ）にて両端矢印Ｄで示す方向）に沿って片持ち状に突出する平板状の部分として設けられている。また、この第１係合部２１ｃには、外側に突起状に突出して形成された係合突起２１ｅが設けられている。
【００５２】
一方、第２係合部２１ｄは、第１ハウジング２１の本体部分の端部に沿って片持ち状に延びる部分として設けられている。この第２係合部２１ｄには、第１ハウジング２１の本体部分からこの本体部分に沿って平行に延びる一対の梁状の部分と、この一対の梁状の部分の先端側で一対の梁状の部分を一体に連結するように形成された連結部分とが設けられている。この連結部分は、片持ち状に延びる第２係合部２１ｄの先端側の部分として設けられている。そして、第２係合部２１ｄの内側には、上記の一対の梁状の部分と連結部分とによって区画されるように形成された係合凹部２１ｆが設けられている。
【００５３】
尚、後述する第２ハウジング２２においても、第１係合部２１ｃと同様に構成される第１係合部２２ｃと、第２係合部２１ｄと同様に構成される第２係合部２２ｄとが設けられている。そして、コネクタ１１においては、第１ハウジング２１の第１係合部２１ｃにおける係合突起２１ｅが、第２ハウジング２２の第２係合部２２ｄにおける係合凹部２２ｆに係合するように構成されている。また、第２ハウジング２２の第１係合部２２ｃにおける係合突起２２ｅが、第１ハウジング２１の第２係合部２１ｄにおける係合凹部２１ｆに係合するように構成されている。
【００５４】
また、第１ハウジング２１には、各端子２６にケーブル１３の各導体１３ｂが溶接によって接続された状態で、各導体１３ｂの間を仕切るように突出するリブ２１ｊが複数設けられている（図１２を参照）。端子２６と導体１３ｂとの溶接が行われる際には、導体１３ｂ間にリブ２１ｊが挿入された状態となるように、ケーブル１３の端部の導体露出部分１３ｃが第１ハウジング２１に対して配置される。
【００５５】
図１５は、第２ハウジング２１の背面図（図１５（ａ））、平面図（図１５（ｂ））、及び底面図（図１５（ｃ））である。図１６は、第２ハウジング２２の左側面図（図１６（ａ））及び右側面図（図１６（ｂ））である。
【００５６】
図１乃至図３、図５、図６、図１５及び図１６に示す第２ハウジング２２は、絶縁性材料である樹脂材料で形成され、薄型の略直方体状の部材として設けられている。この第２ハウジング２２を形成するための樹脂材料としては、例えば、ＰＡ（ポリアミド、polyamide）等の材料を用いることができる。そして、第２ハウジング２２は、基板２５の端部が挿入される挿入口２２ａが開口形成されており、更に、内側において、端子２７（図２１を参照）を複数保持するように、端子保持溝２２ｂが複数形成されている。
【００５７】
尚、端子２７は、導電性の金属材料で形成されており、端子２６と同じ形状に形成されている。そして、複数の端子２７は、長手方向が平行に配置された状態であって、且つ、第２ハウジング２２における挿入口２２ａが延びる方向（即ち、第２ハウジング２２に対して基板２５の端部が挿抜される方向であって、図１５（ｂ）にて両端矢印Ｄで示す方向）と垂直な方向である幅方向（図１５（ｂ）にて両端矢印Ｅで示す方向）に沿って並んだ状態で、第２ハウジング２２の内部に保持される。また、各端子２７は、第２ハウジング２２の内側に形成された各端子保持溝２２ｂに対して嵌め込まれることで保持される。尚、本実施形態にて例示したコネクタ１１においては、第２ハウジング２２に端子保持溝２２ｂが４つ形成され、４つの端子２７が第２ハウジング２２に保持される。
【００５８】
第２ハウジング２２に保持される端子２７は、前述のように、第１ハウジング２１に保持される端子２６と同様に形成されている。そして、端子２７がケーブル１４の導体露出部分における導体に対して電気的に接続されるように、ケーブル１４の端部が第２ハウジング２２における挿入口２２ａと反対側の端部に取り付けられる。第２ハウジング２２に保持される端子２７は、第１ハウジング２１に保持される端子２６とは別の本実施形態における第２端子を構成している。そして、この端子２７が、本実施形態における第２ケーブルであるケーブル１４の導体である本実施形態の第２導体に対して電気的に接続される。
【００５９】
尚、本実施形態では、ケーブル１４の各導体と各端子２７とは、溶接されることで接続される。ケーブル１４の導体と端子２７とを溶接する溶接方法としては種々の方法を選択することができ、例えば、抵抗溶接、レーザ溶接、電子ビーム溶接、或いは、ろう付けによる溶接によって、ケーブル１４の導体と端子２７とが溶接される。そして、端子２７には、端子２６の凸部２６ａと同様に、ケーブル１４の導体に対して溶接される部分として凸状に盛り上がるように形成された凸部２７ａが設けられている（図２１を参照）。また、端子２７には、端子２６の一対の突起部（２６ｂ、２６ｂ）と同様に、基板２５の端部が間に挿入される一対の突起部が設けられている。端子２７における一対の突起部のそれぞれには、端子２６の接点部２６ｃと同様に形成された接点部２７ｃが設けられている（図２１を参照）。端子２７は、この接点部２７ｃにおいて、基板２５にプリントされた個々の導電部である回路パターン２５ｂ（図５及び図６を参照）に対して電気的に接続されることになる。
【００６０】
また、複数の端子２７を保持する第２ハウジング２２には、幅方向（図１５（ｂ）にて両端矢印Ｅで示す方向）の両側の端部における一方に第１係合部２２ｃが設けられ、他方に第２係合部２２ｄが設けられている。第１係合部２２ｃは、第１ハウジング２１の第１係合部２１ｃと同様に形成され、第１係合部２１ｃの係合突起２１ｅと同様に形成された係合突起２２ｅが設けられている。また、第２係合部２２ｄは、第１ハウジング２１の第２係合部２２ｄと同様に形成され、第２係合部２１ｄの係合凹部２１ｆと同様に形成された係合凹部２２ｆが設けられている。また、第２ハウジング２２には、第１ハウジング２１の複数のリブ２１ｊと同様に形成された複数のリブ２２ｊが設けられている。
【００６１】
図２、図５及び図６に示す基板２５は、リジッド基板として設けられ、ＬＥＤ部品１５が、例えば表面実装により実装される。この基板２５には、回路パターン（２５ａ、２５ｂ）が形成されており、ＬＥＤ部品１５が基板２５に実装されることで、ＬＥＤ部品１５が回路パターン（２５ａ、２５ｂ）に対して電気的に接続される。
【００６２】
そして、基板２５に第１ハウジング２１が取り付けられることで、第１ハウジング２１に保持された端子２６が回路パターン２５ａを介してＬＥＤ部品１５に電気的に接続される。更に、基板２５に第２ハウジング２２が取り付けられることで、第２ハウジング２２に保持された端子２７が回路パターン２５ｂを介してＬＥＤ部品１５に電気的に接続される。尚、基板２５に第１ハウジング２１が取り付けられる際には、基板２５の端部が第１ハウジング２１の挿入口２１ａに挿入される。また、基板２５に第２ハウジング２２が取り付けられる際には、基板２５における挿入口２１ａに挿入される側と反対側の端部が第２ハウジング２２の挿入口２２ａに挿入される。
【００６３】
また、前述のように、端子２６にはケーブル１３の導体１３ｂが溶接によって接続され、端子２７にはケーブル１４の端子が溶接によって接続される。このため、第１及び第２ハウジング（２１、２２）が基板２５に取り付けられると、基板２５の回路パターン（２５ａ、２５ｂ）と第１及び第２ハウジング（２１、２２）の端子（２６、２７）とを介して、即ち、コネクタ１１を介して、ケーブル（１３、１４）がＬＥＤ部品１５に電気的に接続されることになる。
【００６４】
また、図２、図５及び図６によく示すように、ＬＥＤ部品１５は、その中央位置が基板２５の中央位置から偏って配置されるように、基板２５に対して実装されている。そして、図２、図５、図６及び図１２によく示すように、第１ハウジング２１には、ＬＥＤ部品１５の位置に対応して偏った位置に設けられるとともにＬＥＤ部品１５を受け入れるように開放形成された凹み部２１ｇが設けられている。また、図２、図５、図６及び図１５によく示すように、第２ハウジング２２には、ＬＥＤ部品１５の位置に対応して偏った位置に設けられるとともにＬＥＤ部品１５を受け入れるように開放形成された凹み部２２ｇが設けられている。また、本実施形態では、第１ハウジング２１及び第２ハウジング２２は、凹み部（２１ｇ、２２ｇ）が設けられる部分を除いて同一形状に形成されている。
【００６５】
図１７は、第１リテーナ２３の斜視図である。また、図１８は、第１リテーナ２３の平面図（図１８（ａ））及び底面図（図１８（ｂ））である。図１乃至図３、図５、図６、図１７及び図１８に示す第１リテーナ２３は、ＰＡ（ポリアミド、polyamide）等の絶縁性材料としての樹脂材料で形成され、第１ハウジング２１に対して取り付けられる部材として設けられている。そして、この第１リテーナ２３には、第１ハウジング２１に取り付けられる際に第１ハウジング２１の幅方向と平行に延びるカバー部２３ａと、カバー部２３ａの幅方向における両側においてカバー部２３ａに一体に形成された一対の係合用突出部（２３ｂ、２３ｂ）とが設けられている。
【００６６】
カバー部２３ａは、第１リテーナ２３が第１ハウジング２１に取り付けられた際に、ケーブル１３の端部における導体１３ｂと端子２６とが接続される部分である溶接された部分を覆うように第１ハウジング２１に対して配置される略直方体状の部分として設けられている。
【００６７】
また、各係合用突出部２３ｂは、第１ハウジング２１に対して係合する部分として設けられている。そして、各係合用突出部２３ｂは、カバー部２３ａから略垂直に突出した後に屈曲して更にカバー部２３ａと略平行に突出する部分として形成されている。
【００６８】
また、第１ハウジング２１には、図１２（ａ）によく示すように、一対の係合溝（２１ｈ、２１ｈ）が凹み形成されている。そして、各係合用突出部２３ｂは、第１ハウジング２１の各係合溝２１ｈに対して嵌り込むように構成されている。尚、各係合用突出部２３ｂには、その先端側において、カバー部２３ａ側に向かって突出する突起部２３ｃが設けられている。第１ハウジング２１の各係合溝２１ｈの奥側には、凹み形成された係合穴が設けられており、各係合用突出部２３ｂが各係合溝２１ｈに嵌まり込んだ状態では、各突起部２３ｃが上記の係合穴に係合するように構成されている。これにより、第１リテーナ２３は、第１ハウジング２１に対して係合して取り付けられるように構成されている。
【００６９】
図１乃至図３、図５及び図６に示す第２リテーナ２４は、ＰＡ（ポリアミド、polyamide）等の絶縁性材料としての樹脂材料で形成され、第２ハウジング２２に対して取り付けられる部材として設けられている。この第２リテーナ２４は、第１リテーナ２３と同一形状に形成されている。即ち、第２リテーナ２４には、第１リテーナ２３のカバー部２３ａと同様に形成されたカバー部と、第１リテーナ２３の一対の係合用突出部（２３ｂ、２３ｂ）と同様に形成された一対の係合用突出部とが設けられている。これにより、第２リテーナ２４は、第２ハウジング２２に対して係合して取り付けられるとともに、ケーブル１４の端部における導体と端子２７とが接続される部分を覆うように第２ハウジング２２に取り付けられるように構成されている。尚、第２リテーナ２４における一対の係合用突出部は、第２ハウジング２２に凹み形成された一対の係合溝（２２ｈ、２２ｈ）（図１５（ｂ）を参照）に対して嵌り込むように構成されている。
【００７０】
次に、コネクタ１１を用いたハーネス１の組立て作業について説明する。ハーネス１の組立て作業においては、まず、基板２５へのＬＥＤ部品１５の実装が行われる。ＬＥＤ部品１５が基板２５に実装されることで、基板２５の回路パターン（２５ａ、２５ｂ）とＬＥＤ部品１５とが電気的に接続されることになる。
【００７１】
また、ハーネス１の組立て作業においては、複数の端子２６を保持している第１ハウジング２１に対してケーブル１３の端部が取り付けられる作業も行われる。図１９は、第１ハウジング２１にケーブル１３が取り付けられた状態を示す斜視図である。また、図２０は、第１ハウジング２１にケーブル１３が取り付けられた状態を示す平面図（図２０（ａ））及び底面図（図２０（ｂ））である。
【００７２】
図１９及び図２０に示すように、第１ハウジング２１にケーブル１３が取り付けられる際には、第１ハウジング２１の背面側（図２０（ｂ）に示す側）であって第１ハウジング２１における挿入口２１ａと反対側の端部に、ケーブル１３の端部が配置される。このとき、ケーブル１３の導体露出部分１３ｃの各導体１３ｂの間に第１ハウジング２１の各リブ２１ｊが挿入された状態となるように、ケーブル１３の端部が第１ハウジング２１に対して配置される。そして、この状態で、各導体１３ｂと各端子２６との溶接が行われ、各導体１３ｂと各端子２６とが電気的に接続され、第１ハウジング２１へのケーブル１３の取り付け作業が完了する。
【００７３】
複数の端子２７を保持している第２ハウジング２２に対するケーブル１４の取り付け作業についても、第１ハウジング２１に対するケーブル１３の取り付け作業と同様に行われる。そして、ケーブル１３の第１ハウジング２１への取り付けの場合と同様に、ケーブル１４の各導体と各端子２７との溶接が行われ、ケーブル１４の各導体と各端子２７とが電気的に接続され、第２ハウジング２２へのケーブル１４の取り付け作業が完了する。
【００７４】
ケーブル１３が第１ハウジング２１に取り付けられると、次いで、第１リテーナ２３の第１ハウジング２１への取り付け作業が行われる。このとき、第１リテーナ２３の各係合用突出部２３ｂが第１ハウジング２１の各係合溝２１ｈに対して嵌め込まれるようにして、第１リテーナ２３の第１ハウジング２１への取り付け作業が行われる。これにより、第１リテーナ２３が第１ハウジング２１に係合して取り付けられ、第１リテーナ２３のカバー部２３ａによって、ケーブル１３の導体１３ｂと端子２６とが溶接により接続された部分が覆われることになる。
【００７５】
また、同様に、第２リテーナ２４の第２ハウジング２２への取り付け作業が行われる。このとき、第２リテーナ２４の各係合用突出部が第２ハウジング２２の各係合溝２２ｈに対して嵌め込まれるようにして、第２リテーナ２４の第２ハウジング２２への取り付け作業が行われる。これにより、第２リテーナ２４が第２ハウジング２２に係合して取り付けられ、第２リテーナ２４のカバー部によって、ケーブル１４の導体と端子２７とが溶接により接続された部分が覆われることになる。
【００７６】
基板２５へのＬＥＤ部品１５の実装作業と、ケーブル１３の第１ハウジング２１への取り付け作業と、ケーブル１４の第２ハウジング２２への取り付け作業と、第１リテーナ２３の第１ハウジング２１への取り付け作業と、第２リテーナ２４の第２ハウジング２２への取り付け作業とが完了すると、基板２５に対する第１ハウジング２１及び第２ハウジング２２の取り付け作業が行われる。この取り付け作業が完了することで、ハーネス１の組立てが完了することになる。図２１は、組立てが完了したハーネス１を示す図２のＡ−Ａ線矢視位置から見た断面図である。図２２は、図２のＢ−Ｂ線矢視位置から見た断面図である。図２３は、図２のＣ−Ｃ線矢視位置から見た断面図である。
【００７７】
基板２５への第１ハウジング２１の取り付け作業では、基板２５の端部が第１ハウジング２１の挿入口２１ａに挿入された状態となるように、基板２５に対して第１ハウジング２１が装着される。これにより、端子２６の接点部２６ｃと基板２５の回路パターン２５ａとが電気的に接続される（図２１を参照）。また、この状態では、ＬＥＤ部品１５が第１ハウジング２１の凹み部２１ｇに受け入れられた状態となる（図２を参照）。
【００７８】
また、基板２５への第２ハウジング２２の取り付け作業では、基板２５の端部が第２ハウジング２２の挿入口２２ａに挿入された状態となるように、基板２５に対して第２ハウジング２２が装着される。これにより、端子２７の接点部２７ｃと基板２５の回路パターン２５ｂとが電気的に接続される（図２１を参照）。また、この状態では、ＬＥＤ部品１５が第２ハウジング２２の凹み部２２ｇに受け入れられた状態となる（図２を参照）。
【００７９】
また、基板２５に対する第１ハウジング２１及び第２ハウジング２２の取り付け作業が行われると、第１ハウジング２１と第２ハウジング２２とが係合することになる。即ち、図２３によく示すように、第１ハウジング２１の第１係合部２１ｃの係合突起２１ｅが、第２ハウジング２２の第２係合部２２ｄの係合凹部２２ｆに対して係合する。そして、第２ハウジング２２の第１係合部２２ｃの係合突起２２ｅが、第１ハウジング２１の第２係合部２１ｄの係合凹部２１ｆに対して係合する。尚、第１係合部（２１ｃ、２２ｃ）と第２係合部（２１ｄ、２２ｄ）との係合の際には、係合突起（２１ｅ、２２ｅ）に当接した第２係合部（２１ｄ、２２ｄ）が一旦弾性変形して撓み、その後、第２係合部（２１ｄ、２２ｄ）が弾性回復することで、係合突起（２１ｅ、２２ｅ）が係合凹部（２１ｆ、２２ｆ）に係合することになる。
【００８０】
そして、図２１及び図２３によく示すように、第１ハウジング２１と第２ハウジング２２とが上記のように係合することで、係合により互いに固定された第１ハウジング２１及び第２ハウジング２２の間で基板２５が第１ハウジング２１及び第２ハウジング２２に対して固定された状態で保持されることになる。また、このように第１ハウジング２１と第２ハウジング２２と基板２５とが固定されると、端子２６と端子２７と基板２５の回路パターン（２５ａ、２５ｂ）とを介して、ＬＥＤ部品１５がケーブル１３及びケーブル１４に対して電気的に接続されることになる。これにより、コネクタ１１と、基板２５に実装されたＬＥＤ部品２５と、第１ハウジング２１に保持された端子２６に対して導体１３ｂが接続されたケーブル１３と、第２ハウジング２２に保持された端子２７に対して導体が接続されたケーブル１４とを備えるハーネス１が完成することになる。
【００８１】
尚、コネクタ１１では、ＬＥＤ部品１５が基板２５に対して中央から偏った位置に実装されて配置され、その偏った配置に対応するように、第１ハウジング２１及び第２ハウジング２２に凹み部（２１ｇ、２２ｇ）が設けられている。このため、作業者が、第１ハウジング２１及び第２ハウジング２２の配置を逆にして基板２５に対して取り付けようとすると、第１ハウジング２１及び第２ハウジング２２における凹み部（２１ｇ、２２ｇ）以外の部分がＬＥＤ部品１５に対して干渉することになる。
【００８２】
図２４は、作業者の誤操作によって第２ハウジング２２が基板２５及びＬＥＤ部品１５に対して配置が逆の状態で装着された場合について説明するための斜視図（図２４（ａ））及び平面図（図２４（ｂ））である。作業者が、図２４に示すように、第２ハウジング２２の配置を逆にして基板２５に対して取り付けようとすると、第２ハウジング２２における凹み部２２ｇの縁の部分がＬＥＤ部品１５に対して当接して干渉することになる。これにより、第２ハウジング２２の配置が逆の場合は、第２ハウジング２２を基板２５に対して装着することができないことになり、作業者の誤操作によって第２ハウジング２２が基板２５及びＬＥＤ部品１５に対して逆装着されてしまうことが防止されることになる。
【００８３】
以上説明したコネクタ１１によると、第１ハウジング２１の端子２６に導体１３ｂが接続されるようにケーブル１３が第１ハウジング２１に対して取り付けられる。そして、電子部品１５が基板２５に実装され、この基板２５に対して第１ハウジング２１及び第２ハウジング２２が取り付けられてこれらが固定されることにより、ケーブル１３の導体１３ｂと電子部品１５とが第１ハウジング２１の端子２６を介して電気的に接続されることになる。このため、電子部品の種類が異なる場合であっても、電子部品を基板２５に実装し、基板２５に対して、ケーブル１３が取り付けられた第１ハウジング２１と、第２ハウジング２２とを取り付けることで、電子部品とケーブル１３とを接続することができる。即ち、種類の異なる電子部品に対してもこのコネクタ１１を共通化して用いることができる。
【００８４】
更に、コネクタ１１では、電子部品１５が基板２５に実装されてこの基板２５に第１及び第２ハウジング（２１、２２）が取り付けられることで、電子部品１５とケーブル１３とが接続される構成のため、第１及び第２ハウジング（２１、２２）の構造について、特定の電子部品に対応させる必要がなく、コネクタ１１の構造の複雑化が抑制されることになる。また、コネクタ１１では、特定の種類の電子部品に対応した特定の構造のハウジングに電子部品が組み込まれる構成ではなく、電子部品１５が基板２５に実装される構成のため、電子部品１５の交換及びメンテナンスが必要な場合に交換作業及びメンテナンス作業を容易に行うことができる。
【００８５】
従って、本実施形態によると、種類の異なる電子部品に対しても共通化して用いることができ、構造の複雑化を抑制でき、更に、電子部品の交換作業及びメンテナンス作業が容易なコネクタ１１を提供することができる。
【００８６】
また、コネクタ１１によると、ケーブル１３の導体１３ｂと第１ハウジング２１の端子２６とが溶接によって接続されるため、導体１３ｂと端子２６との接続作業を容易且つ迅速に行うことができ、接続作業の効率化を図ることができる。
【００８７】
また、コネクタ１１によると、ケーブル１３の端部における導体１３ｂと端子２６との接続部分を覆うように第１ハウジング２１に係合して取り付けられる第１リテーナ２３が設けられるため、導体１３ｂと端子２６との接続部分を外部に対して保護することができる。更に、第１リテーナ２３が上記のように配置されるため、ケーブル１３に対して引き回されるような外力が作用した場合であっても、導体１３ｂと端子２６との接続部分に作用する外力の影響を抑制することができる。よって、第１ハウジング２１からケーブル１３が脱落してしまうことを抑制することができる。
【００８８】
また、コネクタ１１によると、第１及び第２ハウジング（２１、２２）が係合して互いに固定されることで、第１及び第２ハウジング（２１、２２）の間で基板２５が保持されて固定される。このため、第１及び第２ハウジング（２１、２２）を係合させるだけで、第１及び第２ハウジング（２１、２２）と基板２５とを容易に固定することができる。
【００８９】
また、コネクタ１１によると、電子部品１５が基板２５に対して中央から偏って配置され、その偏った電子部品１５の配置に対応するように、第１及び第２ハウジング（２１、２２）のそれぞれに凹み部（２１ｇ、２２ｇ）が開放形成されている。このため、作業者が、基板２５に対して第１及び第２ハウジング（２１、２２）の配置を逆にした状態で第１及び第２ハウジング（２１、２２）を基板２５に取り付けようとすると、第１及び第２ハウジング（２１、２２）における各凹み部（２１ｇ、２２ｇ）以外の部分が電子部品１５と当接して干渉してしまうことになる。これにより、コネクタ１１では、第１及び第２ハウジング（２１、２２）の配置が逆の場合は、第１及び第２ハウジング（２１、２２）を基板２５に対して装着することができないように構成されている。よって、コネクタ１１によると、作業者の誤操作によって第１及び第２ハウジング（２１、２２）が基板２５及び電子部品１５に対して逆装着されてしまうことを防止することができる。
【００９０】
また、コネクタ１１によると、第１及び第２ハウジング（２１、２２）が凹み部（２１ｇ、２２ｇ）が設けられる部分を除いて同一形状に形成されるため、第１及び第２ハウジング（２１、２２）の成型用の金型を構成する部品を大幅に共通化することができる。これにより、第１及び第２ハウジング（２１、２２）の基板２５及び電子部品１５に対する逆装着を防止できるコネクタ構造を実現できるとともに、ハウジング成型用の金型の構成部品の削減を図ることができる。
【００９１】
また、コネクタ１１によると、第１ハウジング２１に取り付けられた１つのケーブル１３と第２ハウジング２２に取り付けられた別のケーブル（第２ケーブル）１４とに対して電子部品１５を接続でき、電子部品１５を介して複数のケーブル（１３、１４）を直列に接続することができる。よって、コネクタ１１を複数用いることで、複数の電子部品と複数のケーブルとが順番に直列に接続されたハーネス構造を容易に構築することができる。
【００９２】
また、ハーネス１によると、上述したコネクタ１１と同様の効果を奏することができる。従って、本実施形態によると、種類の異なる電子部品に対してもコネクタ１１を共通化して用いることができ、構造の複雑化を抑制でき、更に、電子部品の交換作業及びメンテナンス作業が容易なハーネスを提供することができる。
【００９３】
（第２実施形態）
次に、本発明の第２実施形態について説明する。図２５は、本発明の第２実施形態に係るコネクタ１２と、このコネクタ１２を用いて構成された本発明の第２実施形態に係るハーネス２とを示す斜視図である。図２６は、コネクタ１２及びハーネス２の平面図（図２６（ａ））及び正面図（図２６（ｂ））である。図２７は、コネクタ１２及びハーネス２の分解斜視図である。尚、以下の説明においては、第１実施形態と同様に構成される要素については、図面において同一の符号を付すことで、又は、同一の符号を引用して説明することで、説明を省略する。
【００９４】
図２５及び図２６に示すコネクタ１２は、ＬＥＤ部品（電子部品）１５とケーブル１３とを接続するとともに、ケーブル１３の終端を構成する終端コネクタとして構成されている。このコネクタ１２は、第１ハウジング２１、第２ハウジング３１、第１リテーナ２３、基板２５を備えて構成されている。また、ハーネス２は、コネクタ１２と、ＬＥＤ部品１５と、ケーブル１３とを備えて構成されている。
【００９５】
コネクタ１２は、ケーブル１４が取り付けられる第２ハウジング２２が設けられておらず、ケーブル１３とＬＥＤ部品１５とが接続された状態におけるケーブル１３の終端部分を構成する第２ハウジング３１が設けられている点において、第１実施形態とは構成が異なっている。
【００９６】
第２ハウジング３１は、第１実施形態の第２ハウジング２１と同様に、挿入口２２ａ、第１係合部２２ｃ、第２係合部２２ｄ、凹み部２２ｇが設けられている。しかし、第２ハウジング３１は、ケーブル１３の終端部分を構成するため、端子２７が保持されておらず、ケーブル１４及び第２リテーナ２４が取り付けられるための構成も設けられていない。即ち、第２ハウジング３１は、端子保持溝２２ｂ、係合溝２２ｈ、リブ２２ｊが設けられていない構成となっている。
【００９７】
上述したコネクタ１２においても、第１実施形態のコネクタ１１と同様の効果を奏することができる。即ち、コネクタ１２によると、種類の異なる電子部品に対しても共通化して用いることができ、構造の複雑化を抑制でき、更に、電子部品の交換作業及びメンテナンス作業が容易なコネクタ１２を提供することができる。そして、コネクタ１２によると、ケーブル１３と電子部品１５とが接続された状態におけるケーブル１３の終端部分を第２ハウジング３１を用いた簡素な構造で容易に構築することができる。また、ハーネス２によると、上述したコネクタ１２と同様の効果を奏することができる。
【００９８】
以上、本発明の実施形態について説明したが、本発明は上述の実施の形態に限られるものではなく、特許請求の範囲に記載した限りにおいて様々な変更が可能なものである。例えば、次のように変更して実施してもよい。
【００９９】
（１）前述の実施形態では、ケーブルとしてフレキシブルフラットケーブルを例にとって説明したが、この通りでなくてもよい。ケーブルの形態としては、第１ハウジングの各端子に対応する個別の配線が第１ハウジングに対して複数取り付けられる形態であってもよい。また、他のケーブルの形態としては、フレキシブルプリント回路基板の形態であってもよい。
【０１００】
（２）前述の実施形態では、第１ハウジングに複数の端子が保持される形態を例にとって説明したが、この通りでなくてもよい。第１ハウジングに端子が１つのみ保持される形態であってもよい。
【０１０１】
（３）前述の実施形態では、基板に実装される電子部品としてＬＥＤ部品を例にとって説明したが、この通りでなくてもよい。基板に実装される電子部品は、ＬＥＤ部品以外の電子部品であってもよく、例えば、ブザーであってもよい。
【０１０２】
（４）前述の実施形態では、ケーブルの端部において被覆部が完全に引き抜かれた状態で導体露出部分が形成されている形態を例にとって説明したが、この通りでなくてもよい。ケーブルの端部において、引き抜かれるようにずらされた被覆部の一部が先端に残されてもよい。この場合、第１ハウジングにケーブルの端部を配置したときに、第１ハウジングにてケーブルの導体間に挿入されるリブとケーブルの先端に残された被覆部の一部とを係止させることができる。これにより、導体と端子との溶接が行われる前の状態において、ケーブルの端部が第１ハウジングから脱落し難い構造を実現することができる。
【０１０３】
（５）第１ハウジング又は第２ハウジングに対するケーブルの逆装着を防止する構造が設けられたコネクタ及びハーネスを実施してもよい。図２８は、第１ハウジング２１に対するケーブル１３の逆装着を防止する構造が設けられた第１ハウジング２１及びケーブル１３を示す斜視図であって、第１ハウジング２１の背面側から見た状態の斜視図である。また、図２９は、図２８に示す第１ハウジング２１及びケーブル１３の分解斜視図である。尚、図２８及び図２９に示す変形例の説明では、第１実施形態と同様に構成される要素については、同一の符号を付すことで、説明を省略する。
【０１０４】
図２８及び図２９に示す第１ハウジング２１では、第１ハウジング２１の幅方向における中央から偏った位置に、突起状に突出した逆装着防止用突起３２が形成されている。また、図２８及び図２９に示すケーブル１３では、導体１３ｂの配列方向における中央から偏った位置であって逆装着防止用突起３２に対応する位置に、貫通形成された逆装着防止用孔３３が形成されている。
【０１０５】
そして、ケーブル１３が第１ハウジング２１に対して正規の位置で配置されると、第１ハウジング２１の逆装着防止用突起３２がケーブル１３の逆装着防止用孔３３に嵌り込むように係止することになる。一方、ケーブル１３が第１ハウジング２１に対して逆向きの誤った位置で配置されると、第１ハウジング２１の逆装着防止用突起３２がケーブル１３における逆装着防止用孔３３が形成されていない部分に当接することになる。これにより、第１ハウジング２１に対するケーブル１３の逆装着が防止されることになる。
【０１０６】
（６）ハーネスの形態については、前述の実施形態で例示した形態に限らず、コネクタ、電子部品及びケーブルについての種々の組み合わせにより、種々の形態のハーネスを構築することができる。例えば、コネクタと電子部品とケーブルとがそれぞれ複数備えられ、コネクタとケーブルとが順番に直列に接続されているハーネスを実施してもよい。
【０１０７】
図３０は、変形例に係るハーネスを示す斜視図であって、複数のコネクタと複数のケーブルとが直列に接続された形態のハーネス３を示す斜視図である。尚、図３０に示す変形例の説明では、第１実施形態又は第２実施形態と同様に構成される要素については、同一の符号を付すことで、説明を省略する。
【０１０８】
図３０に示すハーネス３では、ケーブル１３として構成された複数のケーブル（１３１、１３２、１３３）と、コネクタ１１として構成された複数のコネクタ（１１ａ、１１ｂ）と、コネクタ１２と、電子部品１５として構成された複数の電子部品（１５１、１５２、１５３）とが設けられている。尚、ケーブル（１３２、１３３）については、ケーブル１４としても構成されている。
【０１０９】
そして、ケーブル１３１がコネクタ１１ａを介して電子部品１５１に接続されている。また、コネクタ１１ａを介して電子部品１５１に接続されたケーブル１３２が、コネクタ１１ｂを介して電子部品１５２に接続されている。また、コネクタ１１ｂを介して電子部品１５２に接続されたケーブル１３３が、コネクタ１２を介して電子部品１５３に接続されている。このように、ハーネス３では、コネクタ（１１ａ、１１ｂ、１２）と電子部品（１５１、１５２、１５３）とケーブル（１３１、１３２、１３３）とがそれぞれ複数備えられ、コネクタ（１１ａ、１１ｂ、１２）とケーブル（１３１、１３２、１３３）とが順番に直列に接続されている。尚、ケーブル１３２は、コネクタ１１ａとの関係ではケーブル（第２ケーブル）１４を構成している。そして、ケーブル１３３は、コネクタ１１ｂとの関係ではケーブル（第２ケーブル）１４を構成している。
【０１１０】
このような変形例によると、種類の異なる電子部品に対しても共通化して利用できるコネクタを複数用い、複数の電子部品と複数のケーブルとが順番に直列に接続されたハーネス構造を種々の組み合わせで容易に構築することができる。
【産業上の利用可能性】
【０１１１】
本発明は、電子部品とケーブルとを電気的に接続するためのコネクタ、及びコネクタを備えるハーネスとして、広く適用することができるものである。
【符号の説明】
【０１１２】
１１                コネクタ
１３                ケーブル
１３ｂ              導体
１５                ＬＥＤ部品（電子部品）
２１                第１ハウジング
２２                第２ハウジング
２５                基板
２６                端子
【図１】
2012119217.tif 000003
【図２】
2012119217.tif 000004
【図３】
2012119217.tif 000005
【図４】
2012119217.tif 000006
【図５】
2012119217.tif 000007
【図６】
2012119217.tif 000008
【図７】
2012119217.tif 000009
【図８】
2012119217.tif 000010
【図９】
2012119217.tif 000011
【図１０】
2012119217.tif 000012
【図１１】
2012119217.tif 000013
【図１２】
2012119217.tif 000014
【図１３】
2012119217.tif 000015
【図１４】
2012119217.tif 000016
【図１５】
2012119217.tif 000017
【図１６】
2012119217.tif 000018
【図１７】
2012119217.tif 000019
【図１８】
2012119217.tif 000020
【図１９】
2012119217.tif 000021
【図２０】
2012119217.tif 000022
【図２１】
2012119217.tif 000023
【図２２】
2012119217.tif 000024
【図２３】
2012119217.tif 000025
【図２４】
2012119217.tif 000026
【図２５】
2012119217.tif 000027
【図２６】
2012119217.tif 000028
【図２７】
2012119217.tif 000029
【図２８】
2012119217.tif 000030
【図２９】
2012119217.tif 000031
【図３０】
2012119217.tif 000032